(57)【特許請求の範囲】
【請求項１】
地図データを表示手段に表示させる端末装置であって、
位置情報を取得する位置取得手段と、
前記端末装置の移動状態を検出する移動検出手段と、
前記移動状態に基づいて、前記位置情報を含む地図データを前記表示手段に表示させる更新間隔を制御する表示制御手段と、を備え、
前記表示制御手段は、前記移動検出手段によって、前記移動状態として、所定の時間内の移動量が所定の移動量よりも大きいことが検出された場合に、前記更新間隔を所定の更新間隔よりも長くするように制御する、
ことを特徴とする端末装置。
【請求項２】
前記表示制御手段は、前記更新間隔の制御として、前記位置情報を含む地図データを前記表示手段に固定表示させるか、前記位置情報を含む地図データを更新して、その更新された地図データを前記表示手段に更新表示させるかを制御する、
ことを特徴とする請求項１記載の端末装置。
【請求項３】
前記表示制御手段は、前記移動検出手段によって、前記移動状態として、所定の時間内の移動量が所定の移動量よりも大きいことが検出された場合に、前記位置情報を含む地図データを前記表示手段に固定表示させるように制御する、
ことを特徴とする請求項２記載の端末装置。
【請求項４】
前記表示制御手段は、前記移動検出手段によって、前記移動状態として、所定の時間内の移動量が所定の移動量よりも小さいことが検出された場合に、前記位置情報を含む地図データを前記表示手段に固定表示させるように制御する、
ことを特徴とする請求項２記載の端末装置。
【請求項５】
前記表示制御手段は、前記表示手段に固定表示させるように制御する場合には、前記位置情報および対象の位置情報を含む地図データを前記表示手段に固定表示させるように制御する、
ことを特徴とする請求項２記載の端末装置。
【請求項６】
前記表示制御手段によって前記表示手段に固定表示させるように制御された場合に、前記取得手段による位置情報の取得を抑制する抑制手段を更に備える、
ことを特徴とする請求項２記載の端末装置。
【請求項７】
前記表示手段は、電力供給が停止されても表示内容が保持される表示手段であって、
前記表示制御手段によって前記表示手段に固定表示させるように制御された場合に、前記表示手段への電力供給を停止する停止手段を更に備える、
ことを特徴とする請求項２記載の端末装置。
【請求項８】
前記端末装置の主要動作用の電池残量を検出する残量検出手段を更に備え、
前記表示制御手段は、前記残量検出手段によって、前記電池残量が少ないことが検出された場合に、前記移動状態に基づいて前記更新間隔を制御する、
ことを特徴とする請求項１記載の端末装置。
【請求項９】
前記端末装置の消費電力を抑制するための省電力動作モードに設定するモード設定手段を更に備え、
前記表示制御手段は、前記モード設定手段によって、前記省電力動作モードに設定されている場合に、前記移動状態に基づいて前記更新間隔を制御する、
ことを特徴とする請求項１記載の端末装置。
【請求項１０】
前記端末装置の筐体の使用状態を示すスタイルを検出するスタイル検出手段を更に備え、
前記表示制御手段は、前記スタイル検出手段によって、前記スタイルが所定のスタイルであることが検出された場合に、前記移動状態に基づいて前記更新間隔を制御する、
ことを特徴とする請求項１記載の端末装置。
【請求項１１】
前記表示手段は、第１表示手段および第２表示手段を含み、
前記表示制御手段は、前記移動状態に基づいて、前記位置情報を含む地図データを前記第１表示手段に表示させるか、前記第２表示手段に表示させるかを制御する、
ことを特徴とする請求項１記載の端末装置。
【請求項１２】
コンピュータに、
位置情報を取得する取得機能、
端末装置の移動状態を検出する検出機能、
前記移動状態に基づいて、前記位置情報を含む地図データを表示手段に表示させる更新間隔を制御する制御機能、
を実現させるためのプログラムであって、
前記制御機能は、前記検出機能によって、前記移動状態として、所定の時間内の移動量が所定の移動量よりも大きいことが検出された場合に、前記更新間隔を所定の更新間隔よりも長くするように制御する、
ことを特徴とするプログラム。
【発明の詳細な説明】
【技術分野】
【０００１】
本発明は、地図データを表示手段に表示させる端末装置およびプログラムに関する。
【背景技術】
【０００２】
自らの位置や対象（たとえば、目的地、待ち合わせ相手）の位置などの位置情報を取得して、その位置情報を含む地図データを表示部に表示させるナビゲーション機能が搭載された端末装置がある。このような端末装置では、周期的に位置情報を取得して、その位置情報に基づいて地図データを更新して、その更新された地図データを表示部に更新表示している。
【０００３】
ところが表示を更新するには電力が必要なため、更新表示を頻繁に行うと、表示を更新するための消費電力が大きくなってしまうという問題点がある。
端末装置の消費電力を抑制する方法としては、移動体の移動状況や地図データに基づいて、画面を操縦者（ユーザ）が見るべき状況で無いと判断された場合には、画面の輝度を下げたり、画面表示を消去させたりする技術が提案されている（たとえば、特許文献１参照）。
【０００４】
【特許文献１】特開２００７−１３２８７０号公報
【発明の開示】
【発明が解決しようとする課題】
【０００５】
しかしながら、画面を見るべき状況ではなくてもユーザが画面を確認したい場合があることは充分に考えられる。前述の技術では、そのような場合にユーザが画面を確認することができないという不都合が起こり、ナビゲーション（すなわち案内すること）の利便性を大きく損なってしまう。
【０００６】
ところで、端末装置（又は端末装置を携帯するユーザ）の移動状態によっては、地図データの表示の更新を頻繁に行う必要がない場合も有り得る。たとえば、高速で移動中であれば、ユーザが迷いなく進んでいるということで、ユーザが経路を知っている可能性が高く、経路や周囲の状況を案内するための地図データの表示の更新を頻繁に行わなくても、利便性を損なうことが無い。また反対に、ほとんど移動していなければ、現在表示している地図データで充分であり、表示の更新を頻繁に行わなくても、利便性を損なうことが無い。
【０００７】
本発明は、このような事情に鑑みてなされたもので、端末装置の移動状態に応じて、地図データを表示させる更新間隔を適切に制御することによって、利便性を損なうことなく、省電力化を図ることができる端末装置およびプログラムを提供することを目的とする。
【課題を解決するための手段】
【０００８】
上記目的達成のため、請求項１に記載の発明は、地図データを表示手段に表示させる端末装置であって、位置情報を取得する位置取得手段と、前記端末装置の移動状態を検出する移動検出手段と、前記移動状態に基づいて、前記位置情報を含む地図データを前記表示手段に表示させる更新間隔を制御する表示制御手段と、を備え、前記表示制御手段は、前記移動検出手段によって、前記移動状態として、所定の時間内の移動量が所定の移動量よりも大きいことが検出された場合に、前記更新間隔を所定の更新間隔よりも長くするように制御する、ことを特徴とする。
更に、コンピュータに、上述した請求項１記載の発明に示した主要機能を実現させるためのプログラムを提供する（請求項１２記載の発明）。
【００１１】
また、好ましい態様として、たとえば請求項２記載のように、請求項１記載の端末装置において、前記表示制御手段は、前記更新間隔の制御として、前記位置情報を含む地図データを前記表示手段に固定表示させるか、前記位置情報を含む地図データを更新して、その更新された地図データを前記表示手段に更新表示させるかを制御する、ようにしても良い。
【００１２】
また、好ましい態様として、たとえば請求項３記載のように、請求項２記載の端末装置において、前記表示制御手段は、前記移動検出手段によって、前記移動状態として、所定の時間内の移動量が所定の移動量よりも大きいことが検出された場合に、前記位置情報を含む地図データを前記表示手段に固定表示させるように制御する、ようにしても良い。
【００１３】
また、好ましい態様として、たとえば請求項４記載のように、請求項２記載の端末装置において、前記表示制御手段は、前記移動検出手段によって、前記移動状態として、所定の時間内の移動量が所定の移動量よりも小さいことが検出された場合に、前記位置情報を含む地図データを前記表示手段に固定表示させるように制御する、ようにしても良い。
【００１４】
また、好ましい態様として、たとえば請求項５記載のように、請求項２記載の端末装置において、前記表示制御手段は、前記表示手段に固定表示させるように制御する場合には、前記位置情報および対象の位置情報を含む地図データを前記表示手段に固定表示させるように制御する、ようにしても良い。
【００１５】
また、好ましい態様として、たとえば請求項６記載のように、請求項２記載の端末装置において、前記表示制御手段によって前記表示手段に固定表示させるように制御された場合に、前記取得手段による位置情報の取得を抑制する抑制手段を更に備える、ようにしても良い。
【００１６】
また、好ましい態様として、たとえば請求項７記載のように、請求項２記載の端末装置において、前記表示手段は、電力供給が停止されても表示内容が保持される表示手段であって、前記表示制御手段によって前記表示手段に固定表示させるように制御された場合に、前記表示手段への電力供給を停止する停止手段を更に備える、ようにしても良い。
【００１７】
また、好ましい態様として、たとえば請求項８記載のように、請求項１記載の端末装置において、前記端末装置の主要動作用の電池残量を検出する残量検出手段を更に備え、前記表示制御手段は、前記残量検出手段によって、前記電池残量が少ないことが検出された場合に、前記移動状態に基づいて前記更新間隔を制御する、ようにしても良い。
【００１８】
また、好ましい態様として、たとえば請求項９記載のように、請求項１記載の端末装置において、前記端末装置の消費電力を抑制するための省電力動作モードに設定するモード設定手段を更に備え、前記表示制御手段は、前記モード設定手段によって、前記省電力動作モードに設定されている場合に、前記移動状態に基づいて前記更新間隔を制御する、ようにしても良い。
【００１９】
また、好ましい態様として、たとえば請求項１０記載のように、請求項１記載の端末装置において、前記端末装置の筐体の使用状態を示すスタイルを検出するスタイル検出手段を更に備え、前記表示制御手段は、前記スタイル検出手段によって、前記スタイルが所定のスタイルであることが検出された場合に、前記移動状態に基づいて前記更新間隔を制御する、ようにしても良い。
【００２０】
また、好ましい態様として、たとえば請求項１１記載のように、請求項１記載の端末装置において、前記表示手段は、第１表示手段および第２表示手段を含み、前記表示制御手段は、前記移動状態に基づいて、前記位置情報を含む地図データを前記第１表示手段に表示させるか、前記第２表示手段に表示させるかを制御する、ようにしても良い。
【発明の効果】
【００２１】
本発明によれば、端末装置の移動状態に応じて、地図データを表示させる更新間隔を適切に制御することによって、利便性を損なうことなく、省電力化を図ることができる。
【発明を実施するための最良の形態】
【００２２】
以下、本発明の実施の形態を、図面を参照して説明する。
Ａ．構成
図１は、本発明の実施形態におけるシステム構成の一例を示す図である。
端末装置の一例としての携帯電話機１０は、基地局１１および交換機１２を介して、無線通信網１３に接続されている。さらに、携帯電話機１０は、無線通信網１３を介してインターネット１４とも接続されている。携帯電話機１０は、音声通話機能、メール機能、インターネット接続機能（ｗｅｂアクセス機能）を有する。
【００２３】
また、携帯電話機１０は、ＧＰＳ衛星１５（GPS : Global Positioning System）から送られてくる電波に基づいて自らの現在位置を示す位置情報を取得したり、あるいは、無線通信網１３に接続されている端末装置の位置情報を記憶して管理する位置情報管理サーバ１６から送られてくる位置情報を自らの現在位置を示す位置情報として取得したりする。
【００２４】
また、携帯電話機１０は、ナビゲーション機能に関連する各種情報を記憶して管理するナビゲーションサービス装置１７に、インターネット１４を介して接続されていて、自らの位置情報をナビゲーションサービス装置１７に送信したり、目的地や待ち合わせ相手などの対象の位置情報をナビゲーションサービス装置１７から受信したり、地図データや交通情報などの各種情報をナビゲーションサービス装置１７との間で送受信したりする。なお、待ち合わせ相手の位置情報については、相手が所有する端末装置（不図示）から無線通信網１３を介して取得するようにしても良い。
【００２５】
図２は、本実施形態における携帯電話機１０の構成の一例を示す図である。
携帯電話機１０は、中央制御部１００、ＲＯＭ１０１、ＲＡＭ１０２、無線通信部１０３、ＧＰＳ受信部１０４、音声信号処理部１０５、表示部１０６、操作部１０７、ＲＴＣ１０８、報知部１０９、移動状態検出部１１０、スタイル検出部１１１および電池部１１２からなる。
【００２６】
中央制御部１００は、ＲＯＭ１０１内の各種のプログラムに応じてこの携帯電話機１０の全体動作を制御する。
【００２７】
ＲＯＭ１０１のプログラム領域には、後述する図１０〜図１６に示す動作手順に応じて本実施形態を実現するためのプログラムが格納されている。
【００２８】
ＲＡＭ１０２は、たとえば、ワーク領域を有する内部メモリで、後述する位置情報記憶部１０２ａ、移動状態記憶部１０２ｂ、タイマ値記憶部１０２ｃ、位置情報取得タイミング記憶部１０２ｄおよび制御内容記憶部１０２ｅなどが設けられている。なお、ＲＡＭ１０２の記憶内容は、必要に応じて不揮発性メモリ（たとえば、フラッシュメモリ）に保存記憶される。
【００２９】
無線通信部１０３は、音声通話時にはアンテナＡＮＴ１を介して受信復調した音声データを中央制御部１００に出力する一方、中央制御部１００から供給される音声データを変調して得た送信信号を高周波増幅してアンテナＡＮＴ１から送出する。また、メール通信時やインターネット通信時には、中央制御部１００の制御の下にアンテナＡＮＴ１を介して基地局１１との間でデータの送受信を行う。
【００３０】
ＧＰＳ受信部１０４は、ＧＰＳ衛星１５から送られてくる電波をアンテナＡＮＴ２を介して受信し、この電波に基づいて携帯電話機１０の現在位置（緯度、経度、高度）を取得し、取得した現在位置を示す信号を中央制御部１００に出力する。
【００３１】
音声信号処理部１０５は、マイクＭＩＣおよびスピーカＳＰを備え、中央制御部１００から供給される音声データを音声信号にＤ／Ａ変換してスピーカＳＰから再生・発音させたり、マイクＭＩＣから出力される音声信号を音声データにＡ／Ｄ変換して中央制御部１００に供給したりする。
【００３２】
表示部１０６は、カラー液晶パネル、カラー有機ＥＬパネル、電子ペーパなどの表示デバイスと表示ドライバから構成され、中央制御部１００の制御の下に、待受画面など各種情報を再生・表示する。
【００３３】
操作部１０７は、たとえば、操作ボタン、タッチパネル、操作ダイヤル、キーボード、マウスなどのユーザインタフェースであり、ユーザの操作入力を電気信号に変換して中央制御部１００に出力する。
【００３４】
ＲＴＣ１０８は、時刻計時やタイマなどに用いるリアルタイムクロックを発生して中央制御部１００に出力する。
【００３５】
報知部１０９は、サウンドスピーカ１０９ａ、ＬＥＤ１０９ｂ、振動モータ１０９ｃなどを有し、音声通話やメールの着信などの各種イベントをユーザに報知する。
【００３６】
移動状態検出部１１０は、加速度センサなどの各種センサから構成され、携帯電話機１０の移動量をセンサによって測定し、その測定結果を示す信号を中央制御部１００に出力する。
【００３７】
スタイル検出部１１１は、携帯電話機１０の筐体の各所に配設された磁石と磁力センサなどから構成され、磁力センサによる測定結果（どこに配設された磁石が磁力センサに近いかなど）に基づいて筐体の使用状態を示すスタイルを検出し、その検出結果を示す信号を中央制御部１００に出力する。
【００３８】
電池部１１２は、リチウムイオン電池や燃料電池などから構成され、携帯電話機１０の各部で使用される電力を供給する。また、電池部１１２は、外部の充電機器（不図示）と接続され、電池の充電を行う。さらに、電池部１１２は、電池残量を検出し、その検出結果を示す信号を中央制御部１００に出力する。
【００３９】
図３は、本実施形態における携帯電話機１０の外観の一例を示す図である。
携帯電話機１０は、筐体１１３と筐体１１４とがヒンジ部１１５によって接続された折り畳み構造になっている。
図３−１は、筐体１１３と筐体１１４との折り畳みを開いた使用状態であるオープンスタイルを示す図である。
筐体１１３の折り畳みを閉じたときに内側となる面には、カラー液晶パネルやカラー有機ＥＬパネルからなる画面Ａ１０６ａが配設されている。また、この画面Ａ１０６ａの全面に、指や操作器具などを使用して行う接触操作を検出するタッチパネル１０７ａが操作部１０７として設けられている。
筐体１１４の折り畳みを閉じたときに内側となる面には、電子ペーパからなる画面Ｂ１０６ｂが配設されている。また、この画面Ｂ１０６ｂの全面に、タッチパネル１０７ｂが操作部１０７として設けられている。なお、電子ペーパは、電子ペーパへの電力供給が停止されても表示内容が保持されるようになっている。
【００４０】
図３−２は、筐体１１３と筐体１１４との折り畳みを閉じた使用状態であるクローズスタイルを示す図である。
筐体１１４の折り畳みを閉じたときに外側となる面には、カラー液晶パネルやカラー有機ＥＬパネルからなる画面Ｃ１０６ｃが配設されている。また、この画面Ｃ１０６ｃの全面に、タッチパネル１０７ｃが操作部１０７として設けられている。
【００４１】
図４は、本実施形態における位置情報記憶部１０２ａに記憶される位置情報の一例を示す図である。
位置情報記憶部１０２ａは、日時、自らの位置情報および対象の位置情報を対応付けて記憶している。日時は自らの位置情報および対象の位置情報を取得した日時であり、自らの位置情報は携帯電話機１０の位置を示す位置情報であり、対象の位置情報は目的地や待ち合わせの相手などの位置を示す位置情報である。なお、対象が目的地などのように位置が変わらないような対象である場合には、その位置情報を複数回にわたって取得、記憶しなくても良い。
【００４２】
図５は、本実施形態における移動状態記憶部１０２ｂに記憶される移動状態の一例を示す図である。
移動状態記憶部１０２ｂは、日時および移動量を対応付けて記憶している。日時は移動量を検出した日時であり、移動量は携帯電話機１０の移動量（たとえば移動距離）である。本実施形態では、直前３秒間の移動量を検出して３秒ごとに記憶し、この３秒ごとに記憶された移動量に基づいた移動状態を利用している。
【００４３】
図６は、本実施形態におけるタイマ値記憶部１０２ｃに記憶されるタイマ値の一例を示す図である。
タイマ値記憶部１０２ｃは、種類およびタイマ値を対応付けて記憶している。種類はタイマの種類を示す。本実施形態では「移動検出タイマ」、「位置取得タイマ」、「表示更新タイマ」としている。タイマ値はそのタイマの値（時間）を示す。タイマの詳細に関しては後述する。
【００４４】
図７は、本実施形態における位置情報取得タイミング記憶部１０２ｄに記憶される位置情報取得タイミングの一例を示す図である。
位置情報取得タイミング記憶部１０２ｄは、項目および設定フラグを対応付けて記憶している。項目は位置情報を取得するタイミングを示す。本実施形態では「表示更新間隔に連動する」、「表示更新間隔に連動しない」としている。設定フラグはその項目が設定されているか否かを示すフラグであり、設定されている場合に「１」、設定されていない場合に「０」となる。
【００４５】
図８は、本実施形態における制御内容記憶部１０２ｅに記憶される制御内容の一例を示す図である。
制御内容記憶部１０２ｅは、項目、表示更新間隔および現在フラグを対応付けて記憶している。項目は移動状態の内容を示す。本実施形態では、１分間の移動量が「２０００メートルより長い」、「１５００メートルより長い」、「１０００メートルより長い」、「１０００〜５０メートル」、「５０メートルより短い」、「３０メートルより短い」、「２０メートルより短い」としている。表示更新間隔は、表示部１０６（画面Ａ１０６ａ、画面Ｂ１０６ｂ、画面Ｃ１０６ｃ）に表示される地図データの表示を更新する間隔を示す。本実施形態では、「固定表示（更新しない）」、「２分」、「１分」、「３秒」としている。現在フラグは、現在の携帯電話機１０の移動状態がどの項目に該当するかを示すフラグであり、現在の移動状態に該当する場合に「１」、該当しない場合に「０」となる。
【００４６】
図９は、本実施形態における表示部１０６（画面Ａ１０６ａ、画面Ｂ１０６ｂ、画面Ｃ１０６ｃ）に表示される地図データの表示態様の一例を示す図である。
図９−１は、表示更新間隔が「３秒」または「１分」の場合の表示態様の一例である。この表示態様では、自らの位置情報を含む地図データを表示し、さらに、自らの位置から対象の位置への方向を示す矢印を表示する。
図９−２は、表示更新間隔が「２分」または「固定表示」の場合の表示態様の一例である。この表示態様では、自らの位置情報および対象の位置情報を含む地図データを表示する。
また、図９−１では地図データをカラーで表示し、図９−２では地図データを白黒で表示するなどして、現在の表示更新間隔をユーザが認識できるように、両者の表示態様を変えることによって報知している。
【００４７】
Ｂ．動作
次に、本実施形態における動作について説明する。
図１０は、本実施形態における携帯電話機１０の動作の一例を説明するためのフローチャート（メインルーチン）である。
まず、携帯電話機１０は、電源オン操作があったか否かを判断し（ステップＡ１）、電源オン操作があった場合には（ステップＡ１でＹＥＳ）、電源をオンし、無線通信網１３への位置登録動作や待受画面表示動作などの待受処理を行う（ステップＡ２）。
【００４８】
次に、携帯電話機１０は、設定操作、ナビゲーション操作、着信検出、電池残量充分検出、電池残量少検出、電源オフ操作およびその他の操作の各イベントの有無を判断する（ステップＡ３〜ステップＡ９）。これらのイベントが発生しない場合には（ステップＡ３〜ステップＡ９でＮＯ）、その後、ステップＡ３に戻る。一方、これらのイベントのいずれかが発生すると、その発生したイベントに応じた処理を実行する。以下、イベントごとの動作を説明する。
【００４９】
Ｂ−ａ．設定操作
設定操作が行われると（ステップＡ３でＹＥＳ）、携帯電話機１０は、その設定操作に応じた設定処理を行う（ステップＡ１０）。設定処理とは、タイマ値を設定する操作に応じてタイマ値記憶部１０２ｃに記憶されているタイマ値を設定する処理、位置情報取得タイミングを設定する操作に応じて位置情報取得タイミング記憶部１０２ｄに記憶されている設定フラグを設定する処理、制御内容を設定する操作に応じて制御内容記憶部１０２ｅに記憶されている項目および表示更新間隔を設定する処理、携帯電話機１０の消費電力を抑制するための省電力動作モードの設定や解除を行う操作に応じて省電力フラグ（不図示）を（設定された場合には「１」、解除された場合には「０」に）設定する処理などである。なお、省電力動作モードに設定されると、消費電力を抑制するために、表示部１０６の輝度を下げたり、スピーカＳＰから出力される音量を下げたり、ユーザ操作が所定期間無い場合に、表示部１０６の表示をオフしたりするような各種処理を行う。その後、ステップＡ３に戻る。
【００５０】
Ｂ−ｂ．ナビゲーション操作
ナビゲーション操作（ナビゲーション機能を起動させる操作）が行われると（ステップＡ４でＹＥＳ）、携帯電話機１０は、ナビゲーション処理を行う（ステップＡ１１）。ナビゲーション処理については後述する。その後、ステップＡ３に戻る。
【００５１】
Ｂ−ｃ．着信検出
着信を検出すると（ステップＡ５でＹＥＳ）、携帯電話機１０は、基地局１１と通信を行い、発信先との間で音声通話路を確立するなどの通話処理を行う（ステップＡ１２）。その後、ステップＡ３に戻る。
【００５２】
Ｂ−ｄ．電池残量充分検出
電池部１１２の電池残量が充分な状態であること（すなわち、携帯電話機１０の各部が動作するのに充分な残量であること、あるいは、電池部１１２の電池残量が、少ない残量から充電などによって充分な残量になったこと）を検出すると（ステップＡ６でＹＥＳ）、携帯電話機１０は、電池残量フラグ（不図示）を「０」に設定する（ステップＡ１３）。その後、ステップＡ３に戻る。
【００５３】
Ｂ−ｅ．電池残量少検出
電池部１１２の電池残量が少ない状態であること（すなわち、携帯電話機１０の各部が動作するのに充分な残量ではないこと、あるいは、電池部１１２の電池残量が、充分な残量から少ない残量になったこと）を検出すると（ステップＡ７でＹＥＳ）、携帯電話機１０は、電池残量フラグ（不図示）を「１」に設定する（ステップＡ１４）。その後、ステップＡ３に戻る。
【００５４】
Ｂ−ｆ．電源オフ操作
電源オフ操作が行われると（ステップＡ８でＹＥＳ）、携帯電話機１０は、電源オフ処理を行い（ステップＡ１５）、このフローチャート（メインルーチン）を終了する。
【００５５】
Ｂ−ｇ．その他の操作
その他の操作が行われると（ステップＡ９でＹＥＳ）、携帯電話機１０は、その他の操作に応じた処理を行う（ステップＡ１６）。その他の操作とは、たとえば、発信操作、インターネット接続操作などである。その後、ステップＡ３に戻る。
【００５６】
図１１は、上述したナビゲーション処理の動作の一例を説明するためのフローチャートである。
携帯電話機１０は、ナビゲーション機能を起動した後、対象（目的地や待ち合わせの相手）を指定する対象指定操作を受け付け（ステップＢ１）、地図データの縮尺を指定する縮尺指定操作を受け付けた後（ステップＢ２）、初期処理を行う（ステップＢ３）。初期処理については後述する。
【００５７】
次に、携帯電話機１０は、移動検出タイマタイムアウト、位置取得タイマタイムアウト、表示更新タイマタイムアウト、ナビゲーション終了操作、その他の操作の各イベントの有無を判断する（ステップＢ４〜Ｂ８）。これらのイベントが発生しない場合には（ステップＢ４〜Ｂ８でＮＯ）、その後、ステップＢ４に戻る。一方、これらのイベントのいずれかが発生すると、その発生したイベントに応じた処理を実行する。以下、イベントごとの動作を説明する。
【００５８】
Ｂ−ｈ．移動検出タイマタイムアウト
移動検出タイマのタイムアウトを検出すると（ステップＢ４でＹＥＳ）、携帯電話機１０は、移動状態判別処理を行う（ステップＢ９）。移動状態判別処理については後述する。その後、ステップＢ４に戻る。
【００５９】
Ｂ−ｉ．位置取得タイマタイムアウト
位置取得タイマのタイムアウトを検出すると（ステップＢ５でＹＥＳ）、携帯電話機１０は、自らの位置情報と、対象指定操作で指定された対象の位置情報とを取得し、取得した日時と対応付けて位置情報記憶部１０２ａに記憶し（ステップＢ１０）、位置取得タイマのタイマ値をタイマ値記憶部１０２ｃから読み出して、位置取得タイマを起動する（ステップＢ１１）。その後、ステップＢ４に戻る。
【００６０】
Ｂ−ｊ．表示更新タイマタイムアウト
表示更新タイマのタイムアウトを検出すると（ステップＢ６でＹＥＳ）、携帯電話機１０は、表示処理を行う（ステップＢ１２）。表示処理については後述する。その後、ステップＢ４に戻る。
【００６１】
Ｂ−ｋ．ナビゲーション終了操作
ナビゲーション終了操作が行われると（ステップＢ７でＹＥＳ）、携帯電話機１０は、ナビゲーション機能を終了し（ステップＢ１３）、このフローチャートを終了する。
【００６２】
Ｂ−ｌ．その他の操作
ナビゲーション機能に関するその他の操作が行われると（ステップＢ８でＹＥＳ）、携帯電話機１０は、その他の操作に応じた処理を行う（ステップＢ１４）。その後、ステップＢ４に戻る。
【００６３】
図１２は、上述した初期処理の動作の一例を説明するためのフローチャートである。
携帯電話機１０は、タイマ値記憶部１０２ｃに記憶されている移動検出タイマ、位置取得タイマおよび表示更新タイマのそれぞれのタイマ値を３秒に設定して記憶し（ステップＣ１）、移動状態（直前３秒間の移動量）を検出して、検出した日時と対応付けて移動状態記憶部１０２ｂに記憶し（ステップＣ２）、移動検出タイマのタイマ値をタイマ値記憶部１０２ｃから読み出して、移動検出タイマを起動する（ステップＣ３）。なお、ナビゲーション機能が起動してから３秒経過していないなどの理由により直前３秒間の移動量が検出できない場合には、検出できるだけの時間の移動量に基づいて３秒間の移動量を検出（算出）するようにしても良い。
【００６４】
次に、携帯電話機１０は、自らの位置情報と、対象指定操作で指定された対象の位置情報とを取得して、取得した日時と対応付けて位置情報記憶部１０２ａに記憶し（ステップＣ４）、位置取得タイマのタイマ値をタイマ値記憶部１０２ｃから読み出して、位置取得タイマを起動する（ステップＣ５）。その後、携帯電話機１０は、表示更新処理Ａを行い（ステップＣ６）、このフローチャートを終了する。表示更新処理Ａについては後述する。
【００６５】
図１３は、上述した移動状態判別処理の動作の一例を説明するためのフローチャートである。
携帯電話機１０は、移動状態（直前３秒間の移動量）を検出して、検出した日時と対応付けて移動状態記憶部１０２ｂに記憶し（ステップＤ１）、移動検出タイマのタイマ値をタイマ値記憶部１０２ｃから読み出して、移動検出タイマを起動する（ステップＤ２）。
次に、携帯電話機１０は、筐体の使用状態を示すスタイルがオープンスタイルか否かを判別する（ステップＤ３）。オープンスタイルであると判別された場合には（ステップＤ３でＹＥＳ）、電池残量フラグが「１」であるか否かを判別する（ステップＤ４）。電池残量フラグが「１」でない（すなわち、電池残量が充分な状態である）と判別された場合には（ステップＤ４でＮＯ）、省電力フラグが「１」であるか否かを判別する（ステップＤ５）。
【００６６】
ステップＤ３でオープンスタイルでない（すなわち、クローズスタイルである）と判別された場合（ステップＤ３でＮＯ）、または、ステップＤ５で省電力フラグが「１」でない（すなわち、省電力動作モードに設定されていない状態である）と判別された場合には（ステップＤ５でＮＯ）、このフローチャートを終了する。一方、ステップＤ４で電池残量フラグが「１」である（すなわち、電池残量が少ない状態である）と判別された場合（ステップＤ４でＹＥＳ）、または、ステップＤ５で省電力フラグが「１」である（すなわち、省電力動作モードに設定されている状態である）と判別された場合には（ステップＤ５でＹＥＳ）、携帯電話機１０は、ステップＤ１で検出された移動状態が、制御内容記憶部１０２ｅに記憶されている制御内容のどの項目に該当するかを判別し（ステップＤ６）、現在フラグが「０」である制御内容の項目に該当するか否かを判別する（ステップＤ７）。
【００６７】
現在フラグが「０」である制御内容の項目に該当しない（すなわち、現在フラグが「１」である制御内容の項目に該当する＝前回の移動状態判別処理で判別した移動状態から変化がなかった）と判別された場合には（ステップＤ７でＮＯ）、このフローチャートを終了する。一方、現在フラグが「０」である制御内容の項目に該当する（すなわち、今回が初めての移動状態判別処理であった、または、前前回の移動状態判別処理で判別した移動状態から変化があった）と判別された場合には（ステップＤ７でＹＥＳ）、携帯電話機１０は、制御内容記憶部１０２ｅに記憶されている制御内容の該当する項目の現在フラグを「１」に設定し、それ以外の制御内容の項目の現在フラグを「０」に設定する（ステップＤ８）。
【００６８】
次に、携帯電話機１０は、制御内容記憶部１０２ｅに記憶されている制御内容のうち、現在フラグが「１」である項目の表示更新間隔を読み出し（ステップＤ９）、読み出された表示更新間隔を、タイマ値記憶部１０２ｃの表示更新タイマのタイマ値として設定する（ステップＤ１０）。たとえば、読み出された表示更新間隔が「２分」であれば、表示更新タイマのタイマ値を「２分」に設定する。なお、読み出された表示更新間隔が「固定表示」であれば、表示更新タイマのタイマ値を「無限大」に設定する。
【００６９】
次に、携帯電話機１０は、位置情報取得タイミング記憶部１０２ｄに記憶されている位置情報取得タイミングについて、設定フラグが「１」である項目が「表示更新間隔に連動する」であるか否か（すなわち、位置情報取得タイミングが「表示更新間隔に連動する」に設定されているか否か）を判別する（ステップＤ１１）。設定フラグが「１」である項目が「表示更新間隔に連動する」であると判別された場合には（ステップＤ１１でＹＥＳ）、携帯電話機１０は、ステップＤ９で読み出された表示更新間隔を、タイマ値記憶部１０２ｃの位置取得タイマのタイマ値として設定する（ステップＤ１２）。
【００７０】
たとえば、読み出された表示更新間隔が「２分」であれば、位置取得タイマのタイマ値を「２分」に設定する。なお、読み出された表示更新間隔が「固定表示」であれば、位置取得タイマのタイマ値を「無限大」に設定する。一方、設定フラグが「１」である項目が「表示更新間隔に連動する」ではない（すなわち、設定フラグが「１」である項目が「表示更新間隔に連動しない」である）と判別された場合には（ステップＤ１１でＮＯ）、ステップＤ１３に遷移する。
【００７１】
次に、携帯電話機１０は、自らの位置情報と、対象指定操作で指定された対象の位置情報とを取得して、取得した日時と対応付けて位置情報記憶部１０２ａに記憶し（ステップＤ１３）、位置取得タイマのタイマ値をタイマ値記憶部１０２ｃから読み出して、位置取得タイマを起動する（ステップＤ１４）。その後、携帯電話機１０は、表示更新処理Ｂを行い（ステップＤ１５）、移動状態に変化があったために表示更新間隔が変更された旨を、サウンドスピーカ１０９ａからの音出力、ＬＥＤ１０９ｂからの光出力、振動モータ１０９ｃによる振動発生、表示部１０６によるメッセージ表示などによって報知し（ステップＤ１６）、このフローチャートを終了する。表示更新処理Ｂについては後述する。
【００７２】
図１４は、上述した表示処理の動作の一例を説明するためのフローチャートである。
携帯電話機１０は、筐体の使用状態を示すスタイルがオープンスタイルか否かを判別する（ステップＥ１）。オープンスタイルであると判別された場合には（ステップＥ１でＹＥＳ）、電池残量フラグが「１」であるか否かを判別する（ステップＥ２）。電池残量フラグが「１」でない（すなわち、電池残量が充分な状態である）と判別された場合には（ステップＥ２でＮＯ）、省電力フラグが「１」であるか否かを判別する（ステップＥ３）。
【００７３】
ステップＥ１でオープンスタイルでない（すなわち、クローズスタイルである）と判別された場合（ステップＥ１でＮＯ）、または、ステップＥ３で省電力フラグが「１」でない（すなわち、省電力動作モードに設定されていない状態である）と判別された場合には（ステップＥ３でＮＯ）、携帯電話機１０は、表示更新処理Ａを行い（ステップＥ４）、このフローチャートを終了する。一方、ステップＥ２で電池残量フラグが「１」である（すなわち、電池残量が少ない状態である）と判別された場合（ステップＥ２でＹＥＳ）、または、ステップＥ３で省電力フラグが「１」である（すなわち、省電力動作モードに設定されている状態である）と判別された場合には（ステップＥ３でＹＥＳ）、携帯電話機１０は、表示更新処理Ｂを行い（ステップＥ５）、このフローチャートを終了する。表示更新処理Ａおよび表示更新処理Ｂについては後述する。
【００７４】
図１５は、上述した表示更新処理Ａの動作の一例を説明するためのフローチャートである。
携帯電話機１０は、位置情報記憶部１０２ａに記憶されている最新の自らの位置情報および対象の位置情報を読み出し、縮尺指定操作によって指定された縮尺の地図データにこれらの位置情報が一度に表示可能か否かを判別する（ステップＦ１）。一度に表示可能であると判別された場合には（ステップＦ１でＹＥＳ）、携帯電話機１０は、指定された縮尺で自らの位置情報および対象の位置情報を含む地図データを生成する（ステップＦ２）。一方、一度に表示可能でないと判別された場合には（ステップＦ１でＮＯ）、指定された縮尺で自らの位置情報を含む地図データを生成する（ステップＦ３）。
【００７５】
次に、携帯電話機１０は、筐体の使用状態を示すスタイルがオープンスタイルか否かを判別する（ステップＦ４）。オープンスタイルであると判別された場合には（ステップＦ４でＹＥＳ）、携帯電話機１０は、ステップＦ２またはステップＦ３で生成された地図データを画面Ａ１０６ａにカラーで表示し（ステップＦ５）、表示更新タイマのタイマ値をタイマ値記憶部１０２ｃから読み出して、表示更新タイマを起動し（ステップＦ６）、このフローチャートを終了する。一方、ステップＦ４でオープンスタイルでない（すなわち、クローズスタイルである）と判別された場合には（ステップＦ４でＮＯ）、携帯電話機１０は、ステップＦ２またはステップＦ３で生成された地図データを画面Ｃ１０６ｃにカラーで表示し（ステップＦ７）、ステップＦ６に遷移した後、このフローチャートを終了する。
【００７６】
図１６は、上述した表示更新処理Ｂの動作の一例を説明するためのフローチャートである。
携帯電話機１０は、制御内容記憶部１０２ｅに記憶されている制御内容のうち、現在フラグが「１」である項目の表示更新間隔を読み出し、読み出された表示更新間隔が「２分」または「固定表示」であるか否かを判別する（ステップＧ１）。表示更新間隔が「２分」または「固定表示」であると判別された場合には（ステップＧ１でＹＥＳ）、携帯電話機１０は、位置情報記憶部１０２ａに記憶されている最新の自らの位置情報および対象の位置情報を読み出し、これらの位置情報が一度に表示可能な縮尺で、これらの位置情報を含む地図データを生成する（ステップＧ２）。
【００７７】
次に、携帯電話機１０は、画面Ｂ１０６ｂへの電力供給を開始し（ステップＧ３）、ステップＧ２で生成された地図データを画面Ｂ１０６ｂに白黒で表示した後（ステップＧ４）、画面Ｂ１０６ｂへの電力供給を停止し（ステップＧ５）、表示更新タイマのタイマ値をタイマ値記憶部１０２ｃから読み出して、表示更新タイマを起動し（ステップＧ６）、このフローチャートを終了する。一方、ステップＧ１で、表示更新間隔が「２分」または「固定表示」ではない（すなわち「３秒」または「１分」である）と判別された場合には（ステップＧ１でＮＯ）、携帯電話機１０は、位置情報記憶部１０２ａに記憶されている最新の自らの位置情報および対象の位置情報を読み出し、縮尺指定操作によって指定された縮尺の地図データにこれらの位置情報が一度に表示可能か否かを判別する（ステップＧ７）。
【００７８】
一度に表示可能であると判別された場合には（ステップＧ７でＹＥＳ）、携帯電話機１０は、指定された縮尺で自らの位置情報および対象の位置情報を含む地図データを生成する（ステップＧ８）。一方、一度に表示可能でないと判別された場合には（ステップＧ７でＮＯ）、指定された縮尺で自らの位置情報を含む地図データを生成する（ステップＧ９）。次に、携帯電話機１０は、ステップＧ８またはステップＧ９で生成された地図データを画面Ａ１０６ａにカラーで表示し（ステップＧ１０）、ステップＧ６に遷移した後、このフローチャートを終了する。
【００７９】
上述した実施形態においては、端末装置（携帯電話機１０）の移動状態に応じて、地図データを表示させる更新間隔を適切に制御するようにしたので、ユーザの利便性を損なうことなく、省電力化を図ることができる。
【００８０】
また、上述した実施形態においては、１分間の移動量が「１０００メートルより長い」場合には表示更新間隔を「１分」とし、「１５００メートルより長い」場合には表示更新間隔を「２分」とするなどのように、所定の時間内の移動量が所定の移動量よりも大きい場合には地図データを表示させる更新間隔を長くするようにしたので、ユーザの利便性を損なうことなく、表示の更新に必要な電力の消費を抑制することができる。移動状態として、所定の時間内の移動量が所定の移動量よりも大きい場合には、ユーザがあまり迷うことなく移動していることが考えられる。つまり、ユーザが経路や周囲の状況を知っている可能性が高い。そのような場合には、地図データを表示させる更新間隔を長くしても、ユーザの利便性を損なうことなく、省電力化を図ることができる。また、高速道路を移動している場合も考えられる。この場合には、経路の選択肢はほとんどなく、知りたい周囲の状況もあまり無いので、地図データを表示させる更新間隔を長くしても、ユーザの利便性を損なうことなく、表示の更新に必要な電力の消費を抑制することができる。
【００８１】
また、上述した実施形態においては、１分間の移動量が「５０メートルより短い」場合には表示更新間隔を「１分」とし、「３０メートルより短い」場合には表示更新間隔を「２分」とするなどのように、所定の時間内の移動量が所定の移動量よりも小さい場合には地図データを表示させる更新間隔を長くするようにしたので、ユーザの利便性を損なうことなく、表示の更新に必要な電力の消費を抑制することができる。移動状態として、所定の時間内の移動量が所定の移動量よりも小さい場合には、現在表示している地図データで充分であり、地図データを表示させる更新間隔を長くしても、ユーザの利便性を損なうことなく、省電力化を図ることができる。
【００８２】
また、上述した実施形態においては、１分間の移動量が「２０００メートルより長い」場合、または「２０メートルより短い」場合には表示更新間隔を「固定表示」にするなどのように、更新間隔の制御として、地図データを固定表示させるか更新表示させるかを制御し、固定表示で充分な場合には固定表示させるようにしたので、ユーザの利便性を損なうことなく、省電力化を図ることができる。
【００８３】
また、上述した実施形態においては、移動状態として、所定の時間内の移動量が所定の移動量よりも大きい場合に、地図データを固定表示させるようにしたので、ユーザの利便性を損なうことなく、省電力化を図ることができる。
【００８４】
また、上述した実施形態においては、移動状態として、所定の時間内の移動量が所定の移動量よりも小さい場合に、地図データを固定表示させるようにしたので、ユーザの利便性を損なうことなく、省電力化を図ることができる。
【００８５】
また、上述した実施形態においては、地図データを固定表示させる場合には、自らの位置情報と対象の位置情報とを含む地図データを固定表示させるようにしたので、固定表示であっても、ユーザは自らの位置と対象の位置との関係を把握することができる。
【００８６】
また、上述した実施形態においては、地図データを固定表示させた場合には、位置情報の取得を抑制するようにしたので、ユーザの利便性を損なうことなく、位置情報の取得に必要な電力の消費を抑制することができる。
【００８７】
また、上述した実施形態においては、電子ペーパなどのように、電力供給が停止されても表示内容が保持される表示手段に地図データを固定表示させた場合には、その表示手段への電力供給を停止するようにしたので、ユーザの利便性を損なうことなく、省電力化を図ることができる。
【００８８】
また、上述した実施形態においては、電池残量が少ない場合や消費電力を抑制するための省電力動作モードに設定されている場合に、端末装置の移動状態に応じて、地図データを表示させる更新間隔を制御するようにしたので、いつも以上に省電力化を図る必要がある場合に、ユーザの利便性を損なうことなく、表示の更新に必要な電力の消費を抑制することができる。
【００８９】
また、上述した実施形態においては、オープンスタイルなどのように、所定のスタイルの場合に、端末装置の移動状態に応じて、地図データを表示させる更新間隔を制御するようにしたので、端末装置のスタイルが表示間隔を制御するのに適したスタイルの場合に、ユーザの利便性を損なうことなく、表示の更新に必要な電力の消費を抑制することができる。
【００９０】
また、上述した実施形態においては、１分間の移動量が「１０００〜５０メートル」の場合には画面Ａ１０６ａ（カラー液晶パネルやカラー有機ＥＬパネルからなる画面）に地図データを表示させ、「１５００メートルより長い」場合には画面Ｂ１０６ｂ（電子ペーパからなる画面）に地図データを表示させるなどのように、端末装置の移動状態に応じて、地図データを表示させる表示手段を制御するようにしたので、移動状態に適した表示手段に地図データを表示させることができる。
【００９１】
なお、上述した実施形態においては、端末装置を携帯電話機としているが、たとえば、パーソナルコンピュータ、ＰＤＡ、デジタルカメラ、音楽プレイヤー、携帯ゲーム機などのように、地図データを表示手段に表示させる任意の端末装置で良い。
【００９２】
また、上述した実施形態においては、端末装置に搭載されている表示手段に地図データを表示させるようにしているが、外部モニタなどのように、端末装置に搭載されていない表示手段に地図データを表示させるようにしても良い。
【００９３】
また、上述した実施形態においては、折り畳み構造になっている筐体の内側の面に２つの画面、外側の面に１つの画面を配設するようにしたが、たとえば、内側の面に操作キーなどの操作部と１つの液晶画面、外側の面に１つの電子ペーパ画面を配設するなどのように、画面や操作部の配置は任意の配置で良い。
【００９４】
また、上述した実施形態においては、筐体の構造を折り畳み構造とし、筐体の使用状態を示すスタイルをオープンスタイルとクローズスタイルとしたが、筐体の構造は任意の構造で良く、またスタイルも端末装置の筐体の構造に応じた任意のスタイルで良い。
【００９５】
また、上述した実施形態においては、スタイルがオープンスタイルの場合、電池残量が少ない状態の場合、省電力動作モードに設定されている状態の場合に、表示更新間隔を制御するようにしたが、より簡易的に、スタイル、電池残量、動作モードに関わらずに、表示更新間隔を制御するようにしても良い。また表示更新間隔を制御するスタイル、電池残量、動作モードをユーザが設定できるようにしても良い。
【００９６】
また、上述した実施形態においては、加速度センサなどの各種センサを用いて移動状態の検出を行っているが、ＧＰＳ衛星１５から送られてくる電波に基づいて取得した自らの位置情報や位置情報管理サーバ１６から送られてくる位置情報から、移動状態を検出（算出）するようにしても良い。なお、この場合には、表示更新間隔を長くしても、位置情報の取得間隔は長くしないようにすることが望ましい。
【００９７】
また、上述した実施形態においては、移動状態として、１分間の移動量を用いているが、速度など、任意の移動状態を用いても良い。
【００９８】
また、上述した実施形態においては、表示更新間隔やタイマ値を、「３秒」、「１分」、「２分」とし、制御内容の閾値を、「２０００メートル」や「２０メートル」などとしているが、これらに限らず、任意の値で良い。
【００９９】
また、上述した実施形態においては、表示更新間隔が「３秒」または「１分」の場合の地図データをカラー表示、表示更新間隔が「２分」または「固定表示」の場合の地図データを白黒表示としたが、これらに限らず、ユーザが表示更新間隔を区別して認識できるような表示態様であれば良い。また「固定表示」の場合とそれ以外の場合で区別して表示するようにしても良い。
【図面の簡単な説明】
【０１００】
【図１】システム構成の一例を示す図。
【図２】携帯電話機１０の構成の一例を示す図。
【図３】携帯電話機１０の外観の一例を示す図。
【図４】位置情報記憶部１０２ａに記憶される位置情報の一例を示す図。
【図５】移動状態記憶部１０２ｂに記憶される移動状態の一例を示す図。
【図６】タイマ値記憶部１０２ｃに記憶されるタイマ値の一例を示す図。
【図７】位置情報取得タイミング記憶部１０２ｄに記憶される位置情報取得タイミングの一例を示す図。
【図８】制御内容記憶部１０２ｅに記憶される制御内容の一例を示す図。
【図９】表示部１０６に表示される地図データの表示態様の一例を示す図。
【図１０】携帯電話機１０の動作の一例を説明するためのフローチャート（メインルーチン）。
【図１１】ナビゲーション処理の動作の一例を説明するためのフローチャート。
【図１２】初期処理の動作の一例を説明するためのフローチャート。
【図１３】移動状態判別処理の動作の一例を説明するためのフローチャート。
【図１４】表示処理の動作の一例を説明するためのフローチャート。
【図１５】表示更新処理Ａの動作の一例を説明するためのフローチャート。
【図１６】表示更新処理Ｂの動作の一例を説明するためのフローチャート。
【符号の説明】
【０１０１】
１０  携帯電話機
１１  基地局
１２  交換機
１３  無線通信網
１４  インターネット
１５  ＧＰＳ衛星
１６  位置情報管理サーバ
１７  ナビゲーションサービス装置
１００  中央制御部
１０１  ＲＯＭ
１０２  ＲＡＭ
１０３  無線通信部
１０４  ＧＰＳ受信部
１０５  音声信号処理部
１０６  表示部
１０７  操作部
１０８  ＲＴＣ
１０９  報知部
１１０  移動状態検出部
１１１  スタイル検出部
１１２  電池部
【図１】
0005207293.tif 000002
【図２】
0005207293.tif 000003
【図３】
0005207293.tif 000004
【図４】
0005207293.tif 000005
【図５】
0005207293.tif 000006
【図６】
0005207293.tif 000007
【図７】
0005207293.tif 000008
【図８】
0005207293.tif 000009
【図９】
0005207293.tif 000010
【図１０】
0005207293.tif 000011
【図１１】
0005207293.tif 000012
【図１２】
0005207293.tif 000013
【図１３】
0005207293.tif 000014
【図１４】
0005207293.tif 000015
【図１５】
0005207293.tif 000016
【図１６】
0005207293.tif 000017